(57)【特許請求の範囲】
【請求項１】
機台上の片側に支持体を立設し、その支持体の機台上に臨む正面の上部に射出装置を、下部に電動直圧式の型締装置を可動盤と共に配設した竪型成形機であって、
上記型締装置を、支持体正面の下部両側に対設した一対のハウジングと、
各ハウジング内にそれぞれ回転自在に縦に設けたプーリー付きの型締ボールナット部材と、
その型締ボールナット部材とそれぞれ螺合して各ハウジング上下に貫挿した左右一対の型締ボールねじ軸と、
支持体の背部に上向きに取り付けた型締電動モータと、
その型締電動モータ側と両プーリーとにわたり巻回した型締駆動ベルトと、
ハウジング下側の支持体正面に垂直に縦設したガイドレールとから構成し、
そのガイドレールにより上記可動盤を支持体の正面に水平に支持して、該可動盤と上記型締ボールねじ軸とを連結してなることを特徴とする電動直圧式竪型成形機。
【請求項２】
上記可動盤にノズルタッチ用のねじ軸を立設し、そのねじ軸に射出装置側に設けたプーリー付きのナット部材を螺合して、可動盤と射出装置とを連結してなることを特徴とする請求項１記載の電動直圧式竪型成形機。
【請求項３】
上記支持体の正面上部にガイドレールを垂直に縦設し、そのガイドレールを介して射出装置を支持体に上下動自在に支持してなることを特徴とする請求項１又は２記載の電動直圧式竪型成形機。
【発明の詳細な説明】
【０００１】
【発明の属する技術分野】
この発明は、電動モータを駆動源とする直圧式型締装置を備えた竪型成形機に関するものである。
【０００２】
【発明が解決しようとする課題】
従来の電動式竪型成形機は、金型の型締装置にトグル機構を採用している。トグル機構は機台内に設けられており、そのトグル機構を電動モータにより回転するボールねじ軸と、その回転を直線運動に変換するボールナット部材とにより、トグルリンクを伸縮作動して、タイバーにより連結した機台上の可動盤を、機台上面に対し上下動して型締を行えるようにしている。
【０００３】
竪型成形機の多くはインサート成形に使用されるが、トグル機構では機台と可動盤との間の四方にタイバーがあるので、側方からのインサートが制限され、また下型を載置する回転盤の直径も制限される、という制約を受けている。
【０００４】
このタイバーによる制約の解決手段として、油圧を駆動源とする竪型成形機では、型締機構に直圧式を採用して、可動盤の上部に左右一対の型締シリンダを垂直に設け、その型締シリンダのピストンロッドを可動盤に連結して、機台と可動盤との間のタイバーを除き、機台上の三方を開放している。
【０００５】
またタイバーが省略されても、型締シリンダでは垂直な油圧シリンダの下端と上端の２個所で、ピストンロッドを垂直に支えていることから、上下動に際してピストンロッドの心ずれが起こらず、可動盤はタイバーの支持がなくとも、常に横振れせずに上下動するので、安定した型締精度が維持されている。
【０００６】
そこで、電動モータを駆動源とする場合においても、トグル機構をボールねじ軸により直接押圧する直圧式に変えて、油圧による場合と同様に可動盤の上部に設け、ボールねじ軸を可動盤に連結して、タイバーの省略を図ることが考えられるが、ボールねじ軸ではボールナット部材との螺合部分に介在するボールの周囲にクリアランスがあり、このクリアランスによって作動時にボールねじ軸に振れが生ずる。この振れは微少なものであるが、型締精度に影響を与えるので、この振れを防止する必要がある。
【０００７】
したがって、この発明の目的は、型締機構に直圧式を採用して可動盤を上部に設け、型締ボールねじ軸と可動盤との連結によりタイバーを省略しても、型締ボールねじ軸の振れを拘束することができ、これにより可動盤が垂直に上下動して、常に安定した型締精度を維持することができる新たな電動直圧式竪型成形機を提供することにある。
【０００８】
【課題を解決するための手段】
上記目的によるこの発明は、機台上の片側に支持体を立設し、その支持体の機台上に臨む正面の上部に射出装置を、下部に電動直圧式の型締装置を可動盤と共に配設した竪型成形機であって、
上記型締装置を、支持体正面の下部両側に対設した一対のハウジングと、各ハウジング内にそれぞれ回転自在に縦に設けたプーリー付きの型締ボールナット部材と、その型締ボールナット部材とそれぞれ螺合して各ハウジング上下に貫挿した左右一対の型締ボールねじ軸と、支持体の背部に上向きに取り付けた型締電動モータと、その型締電動モータ側と両プーリーとにわたり巻回した型締駆動ベルトと、ハウジング下側の支持体正面に垂直に縦設したガイドレールとから構成し、そのガイドレールにより上記可動盤を支持体の正面に水平に支持して、該可動盤と上記ボールねじ軸とを連結してなる、というものである。
【０００９】
またこの発明は、上記可動盤にノズルタッチ用のねじ軸を立設し、そのねじ軸に射出装置側に設けたプーリー付きのナット部材を螺合して、可動盤と射出装置とを連結してなるというものであり、上記支持体の正面上部にガイドレールを垂直に縦設し、そのガイドレールを介して射出装置を支持体に上下動自在に支持してなる、というものでもある。
【００１０】
【発明の実施の形態】
図中１は機台２の片側に立設した板状フレームによる支持体で、その支持体１の機台２上に臨む正面板１１の下部に、電動直圧式の型締装置３が可動盤４と共に配設してあり、その型締装置３より上の正面板１１に射出装置５が下向きに配設してある。６は可動盤４と射出装置５とにわたり設けたノズルタッチ用のねじ軸である。
【００１１】
上記正面板１１の下部両側には、一対のアーム１２が対設してあり、その先端に型締装置３の円盤状のハウジング３１が水平に取り付けてある。また両ハウジング３１の下側の正面板１１には、中央にノズル穴を有する上記可動盤４の一対のリニアガイドレール７が垂直に並設してある。
【００１２】
各ハウジング３１の内部には、プーリー付３２を上端に連結した型締ボールナット部材３３が、ベアリングにより回動自在に縦に設けてあり、その型締ボールナット部材３３に螺合して型締ボールねじ軸３４が、各ハウジング３１に上下動自在に貫設してある。
【００１３】
また正面板１１の背面には、電動サーボモータによる型締電動モータ３５が上向きに取り付けてあり、その型締電動モータ３５のプーリー３５ａと、型締ボールナット部材側の両方のプーリー３２とにわたり型締駆動ベルト３６が巻回してある。これにより型締電動モータ３５による回転が両型締ボールナット部材３３に伝達され、その型締ボールナット部材３３の回転が型締ボールねじ軸３４の直線運動に変換されて、型締ボールねじ軸３４が上下に移動する上記型締装置３を構成している。
【００１４】
この型締装置３の型締ボールねじ軸３４の下端には、上記リニアガイドレール７に後端部の摺動部材７ａを嵌合して、支持体１の正面に水平に支持した上記可動盤４が連結してある。この可動盤４の下面には、機台上面の固定型８ａと型閉じする可動型８ｂが取付けてある。
なお、図示の例では、機台２の上面に設けた型置盤９の上面に固定型８ａを設置しているが、型置盤９は回転盤の場合もある。
【００１５】
上記射出装置５は、加熱筒５１の基端部を連結した下部プレート５２ａと上部プレート５２ｂとを、所要間隔を空けて連結ロッド５２ｃにより結合するとともに、そのロッド５２ｃに射出プレート５３を移動自在に挿通して一体的に構成した駆動部を備える。この射出プレート５３には下部プレート５２ａを貫通した射出スクリュ５４の基軸が回転自在に取付けてあり、その基部に計量用プーリー５５が取付けてある。
【００１６】
また上部プレート５２ｂは、射出ボールねじ軸５６の軸部を回転自在に貫通支持した軸承部材５７と一体形成され、軸承部材上に突出した軸端にはプーリー５６ａが取付けてある。このプーリー５６ａには射出駆動ベルト５６ｂが、電動サーボモータによる射出電動モータ５８の駆動軸端のプーリー５８ａとにわたり巻回してある。
【００１７】
上記射出ボールねじ軸５６のねじ軸は、軸承部材５７より下方に長く突出して、その下端に位置する射出プレート上部のボールナット部材５９と螺合し、定位置のねじ軸の回転によりボールナット部材５９と共に射出プレート５５を、上記連結ロッド５２ｃをガイドとして下方へ、回転方向によっては上方へ移動して、樹脂の射出又は計量を行う通常の構造からなる。
【００１８】
この射出装置５は、上記正面板１１の上部に垂直に縦に並設した左右一対のガイドレール１０に、上下部のプレート５２ａ，５２ｂとに設けた摺動部材１０ａを嵌合して上下動自在に支持してある。
【００１９】
上記ノズルタッチ用のねじ軸６は、下端を可動盤４の上面中央に突設した台座４１に固定して、射出装置５の上記下部プレート５２ａの側部上側まで立設され、その上端部は下部プレート５２ａに回動自在に軸承したナット部材６１と螺合している。またナット部材６１の上端にはプーリー６１ａが取付けてある。このプーリー６１ａと下部プレート５２ａの上に固設したノズルタッチ用のギヤモータ６２のプーリー６２ａとには、伝動ベルトが巻回してあって、ギヤモータ６２の回転がナット部材６１に伝達され、それによりねじ軸６をガイドとして射出装置５が可動盤４に対して上下移動し、可動型８ｂの図示しないゲートにノズルタッチするようにしてある。
【００２０】
上記構成では、電動モータを駆動源とする型締装置を機台の上部に設置したことから、機台高さをインサート成形に適合する作業位置に設定できるので能率の向上となる。また可動盤を支持するタイバーを不要とすることから機台上の三方を開放することができ、可動盤の上下移動も機台上に立設した支持体にガイドレールを持って支持したので、型締ボールねじ軸に連結して型締を行う電動直圧式であっても、ボールねじ軸の振れを拘束することができ、これにより横ぶれが防止されて可動盤が垂直に上下動し、常に安定した型締精度を維持することができるようになる。さらにまた可動盤と射出装置とをノズルタッチ用のねじ軸により連結して、型締ボールねじ軸による可動盤の上下移動と、ノズルタッチ用のねじ軸による射出装置の上下移動を並行して行えるようにしたので、型閉じから型締後のノズルタッチを高速で行うことが可能となる。また射出装置を支持体に支持したことによって、射出装置の上下移動に際する横ぶれも防止され、心ずれによるノズル先端の損傷も防止される。
【図面の簡単な説明】
【図１】  この発明の電動直圧式竪型成形機の型開時における正面図である。
【図２】  同上の型締時における支持体を縦断した側面図である。
【図３】  図２Ａ−Ａ線断面図である。
【符号の説明】
１      支持体
２      機台
３      型締装置
４      可動盤
５      射出装置
６      ノズルタッチ用のねじ軸
７      可動盤のリニアガイドレール
７ａ    摺動部材
１０      射出装置のリニアガイドレール
１０ａ    摺動部材
１１      正面板
１２      アーム
３１      ハウジング
３２      プーリー
３３      型締ボールナット部材
３４      型締ボールねじ軸
３５      型締電動モータ
３６      型締駆動ベルト
５２ａ    射出装置の下部プレート
５２ｂ    射出装置の上部プレート
６１      ノズルタッチ用のナット部材
６１ａ    ナット部材のプーリー
６２      ノズルタッチ用のギヤモータ
【図１】
0003639904.tif 000002
【図２】
0003639904.tif 000003
【図３】
0003639904.tif 000004